(57)【要約】【課題】ＳＲＳを適切に受信することができない場合であっても、適切な制御処理を行う。【解決手段】本発明に係る無線基地局ｅＮＢは、移動局ＵＥによって周期的に送信されるＳＲＳに基づいて所定制御処理を行うように構成されている制御部１３と、ＳＲＳの受信タイミングにおけるＳＲＳの受信品質と所定閾値とを比較するように構成されているＳＲＳ信頼度判定部１１と、かかる比較結果に基づいて、移動局ＵＥによってＳＲＳが送信されている状態であるか否かについて判定するように構成されているＳＲＳ送信状態判定部１２とを具備し、制御部１３は、移動局ＵＥによってＳＲＳが送信されていない状態であると判定された場合には、上述のＳＲＳの受信タイミングにおけるＳＲＳに基づいて所定制御処理を行わないように構成されている。【選択図】図４
2011087233.tif 000002
【特許請求の範囲】
【請求項１】
移動局によって周期的に送信される参照信号に基づいて所定制御処理を行うように構成されている制御部と、
参照信号の受信タイミングにおける参照信号の受信品質と所定閾値とを比較するように構成されている参照信号信頼度判定部と、
前記比較結果に基づいて、前記移動局によって参照信号が送信されている状態であるか否かについて判定するように構成されている参照信号送信状態判定部とを具備し、
前記制御部は、前記移動局によって参照信号が送信されていない状態であると判定された場合には、前記受信タイミングにおける前記参照信号に基づいて前記所定制御処理を行わないように構成されていることを特徴とする無線基地局。
【請求項２】
前記所定制御処理は、周波数スケジューリング処理であり、
前記制御部は、前記移動局によって参照信号が送信されていない状態であると判定された場合には、周波数スケジューリング処理自体を行わないように構成されていることを特徴とする請求項１に記載の無線基地局。
【請求項３】
前記所定制御処理は、変調方式及び符号化率の選択処理であり、
前記制御部は、前記移動局によって参照信号が送信されていない状態であると判定された場合には、前記受信タイミングにおける前記参照信号に基づく変調方式及び符号化率の選択処理の代わりに、パスロスによって算出される上りリンクにおける受信品質に基づく前記変調方式及び符号化率の選択処理を行うように構成されていることを特徴とする請求項１に記載の無線基地局。
【請求項４】
前記所定制御処理は、上りリンクにおける送信電力制御処理であり、
前記制御部は、前記移動局によって参照信号が送信されていない状態であると判定された場合には、前記受信タイミングにおける前記参照信号に基づく上りリンクにおける送信電力制御処理の代わりに、他の参照信号に基づく上りリンクにおける送信電力制御処理を行うように構成されていることを特徴とする請求項１に記載の無線基地局。
【請求項５】
前記参照信号送信状態判定部は、ランダムアクセス手順後の初回の前記受信タイミングにおいて、前記参照信号の受信品質が前記所定閾値以下である場合に、前記移動局によって参照信号が送信されていない状態であると判定するように構成されていることを特徴とする請求項１に記載の無線基地局。
【請求項６】
前記参照信号送信状態判定部は、ランダムアクセス手順後の初回及び２回目の前記受信タイミングの両方において、前記参照信号の受信品質が前記所定閾値以下である場合に、ランダムアクセス手順後の２回目の前記受信タイミングにおいて、前記移動局によって参照信号が送信されていない状態であると判定するように構成されていることを特徴とする請求項１に記載の無線基地局。
【請求項７】
前記参照信号送信状態判定部は、ランダムアクセス手順後の初回及び２回目の前記受信タイミングの少なくとも一方において、前記参照信号の受信品質が前記所定閾値以下でない場合に、ランダムアクセス手順後の２回目の前記受信タイミングにおいて、前記移動局によって参照信号が送信されている状態であると判定するように構成されていることを特徴とする請求項１に記載の無線基地局。
【請求項８】
前記参照信号送信状態判定部は、ランダムアクセス手順後の３回目以降の連続する所定数の前記受信タイミングにおいて、前記参照信号の受信品質が前記所定閾値以下である状態になるまで、前記移動局によって参照信号が送信されている状態を、前記移動局によって参照信号が送信されていない状態に変更しないように構成されていることを特徴とする請求項１に記載の無線基地局。
【請求項９】
前記参照信号送信状態判定部は、ランダムアクセス手順後の３回目以降の連続する所定数の前記受信タイミングにおいて、前記参照信号の受信品質が前記所定閾値以下でない状態になるまで、前記移動局によって参照信号が送信されていない状態を、前記移動局によって参照信号が送信されている状態に変更しないように構成されていることを特徴とする請求項１に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、移動局ＵＥは、無線基地局ｅＮＢに対して、周期的に、ＳＲＳ（Ｓｏｕｎｄｉｎｇ  Ｒｅｆｅｒｅｎｃｅ  Ｓｉｇｎａｌ）を送信するように構成されている。
【０００３】
かかるＳＲＳは、主に無線基地局ｅＮＢが上りリンクにおける受信品質を測定するために用いられる参照信号である。
【０００４】
図５に示すように、移動局ＵＥは、無線基地局ｅＮＢが帯域全体の上りリンクにおける受信品質を測定することができるように、広帯域で、ＳＲＳを送信してもよいし、狭帯域で、周波数方向にホッピングして、ＳＲＳを送信してもよい。
【先行技術文献】
【非特許文献】
【０００５】
【非特許文献１】３ＧＰＰ  ＴＳ３６.２１１  Ｖ８.７.０、「Ｐｈｙｓｉｃａｌ  Ｃａｈｅｎｎｅｌ  ａｎｄ  Ｍｏｄｕｌａｔｉｏｎ」、２００９年６月
【非特許文献２】３ＧＰＰ  ＴＳ３６.２１３  Ｖ８.７.０、「Ｐｈｙｓｉｃａｌ  Ｌａｙｅｒ  Ｐｒｏｃｅｄｕｒｅ」、２００８年６月
【発明の概要】
【発明が解決しようとする課題】
【０００６】
なお、ＬＴＥ方式の移動通信システムでは、移動局ＵＥは、必ずＳＲＳを送信しなければならないと規定されているが、以下の２つのケースでは、無線基地局ｅＮＢが、かかるＳＲＳを受信することができないため、ＳＲＳを用いた適切な制御処理を行うことができないという問題点があった。
【０００７】
第１のケースは、移動局ＵＥが、ＬＴＥ方式の規定に反して、ＳＲＳを送信しないケースである。
【０００８】
第２のケースは、通信開始時等において、移動局ＵＥによるＳＲＳの送信開始時点と無線基地局ｅＮＢによるＳＲＳの受信開始時点とがずれているケースである。かかるケースは、移動局ＵＥに対するＳＲＳ用リソースの通知とその反映に掛かるタイムラグに起因して発生し得る。
【０００９】
そこで、本発明は、上述の課題に鑑みてなされたものであり、ＳＲＳを適切に受信することができない場合であっても、適切な制御処理を行うことができる無線基地局を提供することを目的とする。
【課題を解決するための手段】
【００１０】
本発明の第１の特徴は、無線基地局であって、移動局によって周期的に送信される参照信号に基づいて所定制御処理を行うように構成されている制御部と、参照信号の受信タイミングにおける参照信号の受信品質と所定閾値とを比較するように構成されている参照信号信頼度判定部と、前記比較結果に基づいて、前記移動局によって参照信号が送信されている状態であるか否かについて判定するように構成されている参照信号送信状態判定部とを具備し、前記制御部は、前記移動局によって参照信号が送信されていない状態であると判定された場合には、前記受信タイミングにおける前記参照信号に基づいて前記所定制御処理を行わないように構成されていることを要旨とする。
【発明の効果】
【００１１】
以上説明したように、本発明によれば、ＳＲＳを適切に受信することができない場合であっても、適切な制御処理を行うことができる無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局においてＳＲＳ送信状態を判定する動作について説明するための図である。
【図４】本発明の第１の実施形態に係る無線基地局の動作を示すフローチャートである。
【図５】ＬＴＥ方式の移動通信システムにおいて送信されるＳＲＳについて説明するための図である。
【発明を実施するための形態】
【００１３】
（本発明の第１の実施形態に係る移動通信システムの構成）
図１乃至図３を参照して、本発明の第１の実施形態に係る移動通信システムの構成について説明する。
【００１４】
本実施形態に係る移動通信システムは、ＬＴＥ方式の移動通信システムであって、図１に示すように、無線基地局ｅＮＢと、移動局ＵＥとを具備している。
【００１５】
本実施形態に係る移動通信システムでは、無線基地局ｅＮＢは、下りリンクにおいて、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を介して、下り制御信号を送信するように構成されている。
【００１６】
また、本実施形態に係る移動通信システムでは、移動局ＵＥは、上りリンクにおいて、ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）を介して、ＲＡ手順（ＲＡ  ｐｒｏｃｅｄｕｒｅ）で用いられるＲＡＣＨ信号（例えば、ＲＡＣＨプリアンブル等）を送信するように構成されている。
【００１７】
また、本実施形態に係る移動通信システムでは、移動局ＵＥは、上りリンクにおいて、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して、上り制御信号を送信し、ＰＵＳＣＨ（Ｐｈｙｓｉｃａｌ  Ｕｐｌｉｎｋ  Ｓｈａｒｅｄ  Ｃｈａｎｎｅｌ、物理上りデータチャネル）を介して、上りデータ信号を送信するように構成されている。
【００１８】
さらに、本実施形態に係る移動通信システムでは、移動局ＵＥは、上りリンクにおいて、周期的に、ＳＲＳを送信するように構成されている。
【００１９】
図２に示すように、無線基地局ｅＮＢは、ＲＡ手順実行部１０と、ＳＲＳ信頼度判定部１１と、ＳＲＳ送信状態判定部１２と、制御部１３とを具備している。
【００２０】
ＲＡ手順実行部１０は、移動局ＵＥとの間で、ＲＡ手順を行うように構成されている。
【００２１】
ＳＲＳ信頼度判定部１１は、ＳＲＳの受信タイミングにおけるＳＲＳの受信品質と所定閾値とを比較するように構成されている。
【００２２】
具体的には、ＳＲＳ信頼度判定部１１は、各ＳＲＳの受信タイミングにおいて、ＳＲＳの受信を試み、測定されたＳＲＳのＳＩＲ（Ｓｉｇｎａｌ-ｔｏ-Ｉｎｔｅｒｆｅｒｅｎｃｅ  Ｒａｔｉｏ）が所定閾値以下の場合、当該ＳＲＳの信頼度は「ＮＧ」であると判定するように構成されている。
【００２３】
一方、ＳＲＳ信頼度判定部１１は、各ＳＲＳの受信タイミングにおいて測定されたＳＲＳの受信品質（例えば、ＳＩＲ）が所定閾値を上回る場合、当該ＳＲＳの信頼度は「ＯＫ」であると判定するように構成されている。
【００２４】
ＳＲＳ送信状態判定部１２は、ＳＲＳ信頼度判定部１１による判定結果に基づいて、移動局ＵＥによってＳＲＳが送信されている状態であるか否かについて判定するように構成されている。
【００２５】
すなわち、ＳＲＳ送信状態判定部１２は、各移動局ＵＥのＳＲＳ送信状態が、ＳＲＳ送信状態「ＯＫ」又はＳＲＳ送信状態「ＮＧ」のどちらであるのかについて判定するように構成されている。
【００２６】
ここで、ＳＲＳ送信状態「ＯＫ」は、移動局ＵＥによってＳＲＳが送信されていると判定された状態であり、ＳＲＳ送信状態「ＮＧ」は、移動局ＵＥによってＳＲＳが送信されていないと判定された状態である。
【００２７】
例えば、図３（ａ）及び図３（ｃ）に示すように、ＳＲＳ送信状態判定部１２は、ランダムアクセス手順後の初回のＳＲＳの受信タイミングにおいて、ＳＲＳの受信品質が所定閾値を上回る場合に、移動局ＵＥによってＳＲＳが送信されている状態（ＳＲＳ送信状態「ＯＫ」）であると判定するように構成されていてもよい。
【００２８】
一方、図３（ｂ）、図３（ｄ）及び図３（ｅ）に示すように、ＳＲＳ送信状態判定部１２は、ランダムアクセス手順後の初回のＳＲＳの受信タイミングにおいて、ＳＲＳの受信品質が所定閾値以下である場合に、移動局ＵＥによってＳＲＳが送信されていない状態（ＳＲＳ送信状態「ＮＧ」）であると判定するように構成されていてもよい。
【００２９】
また、図３（ｄ）に示すように、ＳＲＳ送信状態判定部１２は、ランダムアクセス手順後の初回及び２回目のＳＲＳの受信タイミングの両方において、ＳＲＳの受信品質が所定閾値以下である場合に、ランダムアクセス手順後の２回目のＳＲＳの受信タイミングにおいて、移動局ＵＥによってＳＲＳが送信されていない状態（ＳＲＳ送信状態「ＮＧ」）であると判定するように構成されていてもよい。
【００３０】
一方、図３（ａ）、図３（ｂ）、図３（ｃ）及び図３（ｅ）に示すように、ＳＲＳ送信状態判定部１２は、ランダムアクセス手順後の初回及び２回目のＳＲＳの受信タイミングの少なくとも一方において、ＳＲＳの受信品質が所定閾値以下でない場合に、ランダムアクセス手順後の２回目のＳＲＳの受信タイミングにおいて、移動局ＵＥによってＳＲＳが送信されている状態（ＳＲＳ送信状態「ＯＫ」）であると判定するように構成されていてもよい。
【００３１】
また、図３（ｅ）に示すように、ＳＲＳ送信状態判定部１２は、ランダムアクセス手順後の３回目以降の連続する所定数ＮＯＫ→ＮＧ（例えば、３個）のＳＲＳの受信タイミングにおいて、ＳＲＳの受信品質が所定閾値以下である状態になるまで、移動局ＵＥによってＳＲＳが送信されている状態（ＳＲＳ送信状態「ＯＫ」）を、移動局ＵＥによってＳＲＳが送信されていない状態（ＳＲＳ送信状態「ＮＧ」）に変更しないように構成されていてもよい。
【００３２】
一方、図３（ｄ）に示すように、ＳＲＳ送信状態判定部１２は、ランダムアクセス手順後の３回目以降の連続する所定数ＮＮＧ→ＯＫ（例えば、３個）のＳＲＳの受信タイミングにおいて、ＳＲＳの受信品質が所定閾値以下でない状態になるまで、移動局ＵＥによってＳＲＳが送信されていない状態を、移動局ＵＥによってＳＲＳが送信されている状態に変更しないように構成されていてもよい。
【００３３】
ここで、所定数ＮＯＫ→ＮＧと所定数ＮＮＧ→ＯＫとは、同一の値であってもよいし、異なる値であってもよい。
【００３４】
なお、ＳＲＳ送信状態判定部１２は、パスロスが所定閾値を上回る場合には、ＳＲＳの受信品質と所定閾値との比較結果によらず、移動局ＵＥによってＳＲＳが送信されていない状態（ＳＲＳ送信状態「ＮＧ」）であると判定するように構成されていてもよい。
【００３５】
基本的に、パスロスが大きい移動局ＵＥからのＳＲＳの受信品質が劣化するため、ＳＲＳの信頼度が「ＮＧ」となることが多い移動局ＵＥについては、ＳＲＳ送信状態がばたつく可能性がある。
【００３６】
したがって、ＳＲＳ送信状態判定部１２は、パスロスが大きい移動局ＵＥについては、常にＳＲＳ送信状態「ＮＧ」であると判定することによって、ＳＲＳ送信状態のばたつきを回避することができる。
【００３７】
制御部１３は、移動局ＵＥによって周期的に送信されるＳＲＳに基づいて所定制御処理を行うように構成されている。
【００３８】
ここで、所定制御処理としては、周波数スケジューリング処理や、変調方式及び符号化率の選択（ＡＭＣ：Ａｄａｐｔｉｖｅ  Ｍｏｄｕｌａｔｉｏｎ  ａｎｄ  ｃｈａｎｎｅｌ  Ｃｏｄｉｎｇ）処理や、上りリンクにおける送信電力制御（ＴＰＣ：Ｔｒａｎｓｍｉｓｓｉｏｎ  Ｐｏｗｅｒ  Ｃｏｎｔｒｏｌ）処理や、タイミング調整（Ｔｉｍｉｎｇ  Ａｄｊｕｓｔｍｅｎｔ）処理等が想定される。
【００３９】
例えば、制御部１３は、移動局ＵＥによってＳＲＳが送信されている状態（ＳＲＳ送信状態「ＯＫ」）であると判定された場合には、上述のＳＲＳの受信タイミングにおけるＳＲＳの受信品質に基づいて、移動局ＵＥについての周波数スケジューリング処理を行う、すなわち、ＳＲＳによって測定された帯域ごとの受信品質に基づいて移動局ＵＥに割り当てる帯域を決定するように構成されていてもよい。
【００４０】
一方、制御部１３は、移動局ＵＥによってＳＲＳが送信されていない状態（ＳＲＳ送信状態「ＮＧ」）であると判定された場合には、移動局ＵＥについての周波数スケジューリング処理自体を行わないように構成されていてもよい。
【００４１】
例えば、制御部１３は、移動局ＵＥによってＳＲＳが送信されていない状態（ＳＲＳ送信状態「ＮＧ」）であると判定された場合には、割り当て可能帯域の端から割り当てを行うように構成されていてもよい。
【００４２】
また、制御部１３は、移動局ＵＥによってＳＲＳが送信されている状態（ＳＲＳ送信状態「ＯＫ」）であると判定された場合には、上述のＳＲＳの受信タイミングにおけるＳＲＳの受信品質に基づいて、移動局ＵＥに対する変調方式及び符号化率の選択処理を行う、すなわち、ＳＲＳによって測定された当該移動局ＵＥに割り当てる帯域の受信品質に基づき、移動局ＵＥに対する変調方式やペイロードサイズを決定するように構成されていてもよい。
【００４３】
一方、制御部１３は、移動局ＵＥによってＳＲＳが送信されていない状態（ＳＲＳ送信状態「ＮＧ」）であると判定された場合には、上述のＳＲＳの受信タイミングにおけるＳＲＳに基づく変調方式及び符号化率の選択処理の代わりに、パスロスによって算出される上りリンクにおける受信品質に基づく変調方式及び符号化率の選択処理を行うように構成されていてもよい。
【００４４】
例えば、制御部１３は、移動局ＵＥによってＳＲＳが送信されていない状態（ＳＲＳ送信状態「ＮＧ」）であると判定された場合には、当該移動局ＵＥのパスロスに基づく変調方式及び符号化率の選択処理を行うように構成されていてもよい。
【００４５】
また、制御部１３は、移動局ＵＥによってＳＲＳが送信されている状態（ＳＲＳ送信状態「ＯＫ」）であると判定された場合には、上述のＳＲＳの受信タイミングにおけるＳＲＳの受信品質に基づいて、移動局ＵＥに対する上りリンクにおける送信電力制御処理を行うように構成されていてもよい。
【００４６】
一方、制御部１３は、移動局ＵＥによってＳＲＳが送信されていない状態（ＳＲＳ送信状態「ＮＧ」）であると判定された場合には、上述のＳＲＳの受信タイミングにおけるＳＲＳに基づく上りリンクにおける送信電力制御処理の代わりに、他の参照信号の受信品質に基づく上りリンクにおける送信電力制御処理を行うように構成されていてもよい。
【００４７】
例えば、制御部１３は、移動局ＵＥによってＳＲＳが送信されていない状態（ＳＲＳ送信状態「ＮＧ」）であると判定された場合には、ＤＭ  ＲＳ（Ｄｅｍｏｄｕｌａｔｉｏｎ  ＲＳ）の受信品質に基づいて、移動局ＵＥに対する上りリンクにおける送信電力制御処理を行うように構成されていてもよい。
【００４８】
（本発明の第１の実施形態に係る移動通信システムの動作）
図４を参照して、本発明の第１の実施形態に係る移動通信システムの動作について、具体的には、本発明の第１の実施形態に係る無線基地局ｅＮＢの動作について説明する。
【００４９】
図４に示すように、無線基地局ｅＮＢは、ステップＳ１００において、ＳＲＳの受信タイミングが到来すると、ステップＳ１０１において、かかるＳＲＳの受信タイミングがＲＡ手順後の初回のＳＲＳの受信タイミングであるか否かについて判定する。
【００５０】
「ＹＥＳ」の場合、本動作は、ステップＳ１０４に進み、「ＮＯ」である場合、本動作は、ステップＳ１０２に進む。
【００５１】
ステップＳ１０２において、無線基地局ｅＮＢは、かかるＳＲＳの受信タイミングがＲＡ手順後の２回目のＳＲＳの受信タイミングであるか否かについて判定する。
【００５２】
「ＹＥＳ」の場合、本動作は、ステップＳ１０５に進み、「ＮＯ」である場合、本動作は、ステップＳ１０３に進む。
【００５３】
ステップＳ１０３において、無線基地局ｅＮＢは、かかるＳＲＳの受信タイミングにおけるＳＲＳの信頼度が「ＮＧ」であるか否かについて判定する。
【００５４】
「ＹＥＳ」の場合、本動作は、ステップＳ１０７に進み、「ＮＯ」である場合、本動作は、ステップＳ１０６に進む。
【００５５】
ステップＳ１０４において、無線基地局ｅＮＢは、かかるＳＲＳの受信タイミングにおけるＳＲＳの信頼度が「ＮＧ」であるか否かについて判定する。
【００５６】
「ＹＥＳ」の場合、本動作は、ステップＳ１０９に進み、「ＮＯ」である場合、本動作は、ステップＳ１０８に進む。
【００５７】
ステップＳ１０５において、無線基地局ｅＮＢは、ランダムアクセス手順後の初回及び２回目のＳＲＳの受信タイミングの両方において、ＳＲＳの信頼度が「ＮＧ」であるか否かについて判定する。
【００５８】
「ＹＥＳ」の場合、本動作は、ステップＳ１０９に進み、「ＮＯ」である場合、本動作は、ステップＳ１０８に進む。
【００５９】
ステップＳ１０６において、無線基地局ｅＮＢは、連続する所定数ＮＮＧ→ＯＫのＳＲＳの受信タイミングにおいて、ＳＲＳの信頼度が「ＯＫ」であるか否かについて判定する。
【００６０】
「ＹＥＳ」の場合、本動作は、ステップＳ１０８に進み、「ＮＯ」である場合、本動作は、ステップＳ１１０に進む。
【００６１】
ステップＳ１０７において、無線基地局ｅＮＢは、連続する所定数ＮＯＫ→ＮＧのＳＲＳの受信タイミングにおいて、ＳＲＳの信頼度が「ＮＧ」であるか否かについて判定する。
【００６２】
「ＹＥＳ」の場合、本動作は、ステップＳ１０９に進み、「ＮＯ」である場合、本動作は、ステップＳ１１０に進む。
【００６３】
ステップＳ１０８において、無線基地局ｅＮＢは、ＳＲＳ送信状態「ＮＧ」を、ＳＲＳ送信状態「ＯＫ」に変更する。
【００６４】
ステップＳ１０９において、無線基地局ｅＮＢは、ＳＲＳ送信状態「ＯＫ」を、ＳＲＳ送信状態「ＮＧ」に変更する。
【００６５】
ステップＳ１１０において、無線基地局ｅＮＢは、ＳＲＳ送信状態を変更しない。
【００６６】
（本発明の第１の実施形態に係る移動通信システムの作用・効果）
本発明の第１の実施形態に係る移動通信システムによれば、移動局ＵＥからのＳＲＳを受信することができない場合であっても、適切な所定制御処理を行うことによって、他の移動局ＵＥへの干渉等を引き起こすという不具合を回避することができる。
【００６７】
以上に述べた本実施形態の特徴は、以下のように表現されていてもよい。
【００６８】
本実施形態の第１の特徴は、無線基地局ｅＮＢであって、移動局ＵＥによって周期的に送信されるＳＲＳ（参照信号）に基づいて所定制御処理を行うように構成されている制御部１３と、ＳＲＳの受信タイミングにおけるＳＲＳの受信品質と所定閾値とを比較するように構成されているＳＲＳ信頼度判定部１１（参照信号信頼度判定部）と、かかる比較結果に基づいて、移動局ＵＥによってＳＲＳが送信されている状態であるか否かについて判定するように構成されているＳＲＳ送信状態判定部１２（参照信号送信状態判定部）とを具備し、制御部１３は、移動局ＵＥによってＳＲＳが送信されていない状態であると判定された場合には、上述のＳＲＳの受信タイミングにおけるＳＲＳに基づいて所定制御処理を行わないように構成されていることを要旨とする。
【００６９】
本実施形態の第１の特徴において、所定制御処理は、周波数スケジューリング処理であり、制御部１３は、移動局ＵＥによってＳＲＳが送信されていない状態であると判定された場合には、ＳＲＳの受信品質に基づく周波数スケジューリング処理自体を行わないように構成されていてもよい。
【００７０】
本実施形態の第１の特徴において、所定制御処理は、変調方式及び符号化率の選択処理であり、制御部１３は、移動局ＵＥによってＳＲＳが送信されていない状態であると判定された場合には、上述のＳＲＳの受信タイミングにおけるＳＲＳに基づく変調方式及び符号化率の選択処理の代わりに、パスロスによって算出される上りリンクにおける受信品質に基づく変調方式及び符号化率の選択処理を行うように構成されていてもよい。
【００７１】
本実施形態の第１の特徴において、所定制御処理は、上りリンクにおける送信電力制御処理であり、制御部１３は、移動局ＵＥによってＳＲＳが送信されていない状態であると判定された場合には、上述のＳＲＳの受信タイミングにおけるＳＲＳに基づく上りリンクにおける送信電力制御処理の代わりに、他の参照信号（例えば、ＤＲＳ）に基づく上りリンクにおける送信電力制御処理を行うように構成されていてもよい。
【００７２】
本実施形態の第１の特徴において、ＳＲＳ送信状態判定部１２は、ランダムアクセス手順後の初回のＳＲＳの受信タイミングにおいて、ＳＲＳの受信品質が所定閾値以下である場合に、移動局ＵＥによってＳＲＳが送信されていない状態であると判定するように構成されていてもよい。
【００７３】
本実施形態の第１の特徴において、ＳＲＳ送信状態判定部１２は、ランダムアクセス手順後の初回及び２回目のＳＲＳの受信タイミングの両方において、ＳＲＳの受信品質が所定閾値以下である場合に、ランダムアクセス手順後の２回目のＳＲＳの受信タイミングにおいて、移動局ＵＥによってＳＲＳが送信されていない状態であると判定するように構成されていてもよい。
【００７４】
本実施形態の第１の特徴において、ＳＲＳ送信状態判定部１２は、ランダムアクセス手順後の初回及び２回目のＳＲＳの受信タイミングの少なくとも一方において、ＳＲＳの受信品質が所定閾値以下でない場合に、ランダムアクセス手順後の２回目のＳＲＳの受信タイミングにおいて、移動局ＵＥによってＳＲＳが送信されている状態であると判定するように構成されていてもよい。
【００７５】
本実施形態の第１の特徴において、ＳＲＳ送信状態判定部１２は、ランダムアクセス手順後の３回目以降の連続する所定数のＳＲＳの受信タイミングにおいて、ＳＲＳの受信品質が所定閾値以下である状態になるまで、移動局ＵＥによってＳＲＳが送信されている状態を、移動局ＵＲによってＳＲＳが送信されていない状態に変更しないように構成されていてもよい。
【００７６】
本実施形態の第１の特徴において、ＳＲＳ送信状態判定部１２は、ランダムアクセス手順後の３回目以降の連続する所定数のＳＲＳの受信タイミングにおいて、ＳＲＳの受信品質が所定閾値以下でない状態になるまで、移動局ＵＥによってＳＲＳが送信されていない状態を、移動局ＵＥによってＳＲＳが送信されている状態に変更しないように構成されていてもよい。
【００７７】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８１】
ｅＮＢ…無線基地局
１０…ＲＡ手順実行部
１１…ＳＲＳ信頼度判定部
１２…ＳＲＳ送信状態判定部
１３…制御部
【図１】
2011087233.tif 000003
【図２】
2011087233.tif 000004
【図３】
2011087233.tif 000005
【図４】
2011087233.tif 000006
【図５】
2011087233.tif 000007